(57)【要約】【課題】同一エリア内に当該の無線通信装置を含む当該の無線通信システム以外に無線通信システムが存在してデータを送受信しているとき、妨害電力を低減し、スループットを高めることができるようにする。【解決手段】受信された無線周波数の信号が局発信号によって周波数変換された後のｆｃ＝３７４ＭＨｚの中間周波数の信号を通過させるチャンネル選択フィルタ部の周波数特性を、ｆｃ＝３７４ＭＨｚを中心とする通信チャンネル帯域の、下側のｆａ＝３５４ＭＨｚを中心とする隣接チャンネル帯域と、上側のｆｂ＝３９４ＭＨｚを中心とする隣接チャンネル帯域とで、ｆｃ＝３７４ＭＨｚに対して対称とする。【選択図】図３
2007013265.tif 000002
【特許請求の範囲】
【請求項１】
順次接続された変復調回路、第１周波数変換回路、チャンネル選択フィルタ部、第２周波数変換回路および送受信回路を備え、
前記チャンネル選択フィルタ部は、所定の中間周波数を中心とする通信チャンネル帯域の下側および上側の隣接チャンネル帯域の特性が前記中間周波数を中心に対称的な特性とされていることを特徴とする無線通信装置。
【請求項２】
請求項1の無線通信装置において、
前記チャンネル選択フィルタ部は、フィルタ本体と、このフィルタ本体と前記第１周波数変換回路および前記第２周波数変換回路との間に接続された、それぞれコンデンサおよびインダクタからなる２つの整合回路とを備えることを特徴とする無線通信装置。
【請求項３】
請求項２の無線通信装置において、
前記フィルタ本体は、ＳＡＷフィルタからなることを特徴とする無線通信装置。
【発明の詳細な説明】
【技術分野】
【０００１】
この発明は、ある周波数帯から選択された周波数チャンネルによって他の無線通信装置との間で無線通信を行う無線通信装置に関する。
【背景技術】
【０００２】
２つの無線通信装置の間で、ＩＥＥＥ８０２．１１規格などに準拠して、例えばＩＥＥＥ８０２．１１ａ規格に準拠して、無線通信を行う場合の無線通信装置としては、図８に示すような装置が考えられている。
【０００３】
この無線通信装置５１は、ＣＰＵ、ＲＯＭおよびＲＡＭを含む制御部６１に、ＭＡＣ（Ｍｅｄｉａ  Ａｃｃｅｓｓ  Ｃｏｎｔｒｏｌｌｅｒ）６２が接続され、ＭＡＣ６２に、変復調回路６３、第１周波数変換回路６４、チャンネル選択フィルタ部６５、第２周波数変換回路６６、送受信回路６７および送受信アンテナ６８が順次接続されたものである。
【０００４】
無線通信装置５１から他の無線通信装置にデータを送信する際には、送信するデータが、変復調回路６３で変調され、第１周波数変換回路６４で中間周波数の信号に変換されて、チャンネル選択フィルタ部６５を通じ、第２周波数変換回路６６で、定められた周波数帯、例えば５．２ＧＨｚ帯から選択された周波数チャンネル（無線チャンネル）の信号に変換されて、送受信回路６７から送受信アンテナ６８により他の無線通信装置に送信される。
【０００５】
他の無線通信装置から送信されたデータを無線通信装置５１で受信する際には、他の無線通信装置から、定められた周波数帯、例えば５．２ＧＨｚ帯から選択された周波数チャンネル（無線チャンネル）の信号として送信されたデータが、送受信アンテナ６８により送受信回路６７で受信され、第２周波数変換回路６６で中間周波数の信号に変換されて、チャンネル選択フィルタ部６５を通じ、第１周波数変換回路６４でベースバンドの信号に変換されて、変復調回路６３で復調される。
【０００６】
中間周波数は、所定周波数、例えば３７４ＭＨｚとされ、チャンネル選択フィルタ部６５は、送信時にも、受信時にも、この周波数を中心とする所定帯域幅、例えば２０ＭＨｚ幅の周波数帯域の信号を通過させ、他の周波数帯域の信号を減衰させるものである。
【０００７】
下記の非特許文献１には、このようなチャンネル選択フィルタ部の“Ｍａｔｃｈｉｎｇ  Ｓｃｈｅｍａｔｉｃｓ”として、“２００Ω  Ｂａｌａｎｃｅｄ”の場合には、図９に示すように、ＳＡＷフィルタ７１の片側にインダクタ（２７ｎＨ）を接続し、反対側に２個のコンデンサ（２２ｐＦ）およびインダクタ（１５ｎＨ）を接続することが示され、チャンネル選択フィルタ部の周波数特性（Ｆｒｅｑｕｅｎｃｙ  Ｒｅｓｐｏｎｓｅ）を、図１０に示すような特性にすることが示されている。
【０００８】
ＳＡＷフィルタは、弾性表面波（Ｓｕｒｆａｃｅ  Ａｃｏｕｓｔｉｃ  Ｗａｖｅ）フィルタであり、上記の符号“７１”は、この明細書で便宜的に付したものである。
【０００９】
図１０の特性は、図１１に特性曲線５で示すように、ｆｃ＝３７４ＭＨｚを中心とする通信チャンネル帯域Ｂｃでは平坦で、その下側（低周波数側）のｆａ＝３５４ＭＨｚを中心とする隣接チャンネル帯域Ｂａと、上側（高周波数側）のｆｂ＝３９４ＭＨｚを中心とする隣接チャンネル帯域Ｂｂとでは、ｆｃ＝３７４ＭＨｚに対して非対称となるものである。
【００１０】
上に挙げた先行技術文献は、以下の通りである。
【非特許文献１】“ＳＡＷＴＥＫ  Ｐａｒｔ  Ｎｕｍｂｅｒ  ８５５６５３  ３７４ＭＨｚ  ＳＡＷ  Ｆｉｌｔｅｒ  Ｄａｔａ  Ｓｈｅｅｔ”、［online］、［平成１７年６月１３日検索］、インターネット＜ＵＲＬ：http://www.triquint.com/company/divisions/sawtek/docs/855653/855653.pdf＞
【発明の開示】
【発明が解決しようとする課題】
【００１１】
しかしながら、図８のような無線通信装置５１のチャンネル選択フィルタ部６５が、図１０および図１１に示すような特性であると、以下のような問題がある。
【００１２】
図１２に、同一のエリア９内に、無線通信装置５１および５２からなる無線通信システム５５と、無線通信装置５３および５４からなる無線通信システム５６とが存在する場合を示す。無線通信装置５３が無線通信装置５１の近傍に存在し、無線通信装置５２，５４がそれぞれ無線通信装置５１，５３の近傍に存在して、無線通信装置５１と無線通信装置５２との間で無線通信を行うと同時に、無線通信装置５３と無線通信装置５４との間で無線通信を行うものとする。
【００１３】
このような無線通信システム（無線ＬＡＮシステム）に用いることができる無線周波数帯として、ＩＥＥＥ８０２．１１ａ規格では、図６に示すような５．２ＧＨｚ帯が規定され、ＩＥＥＥ８０２．１１ｂ規格では、図７に示すような２．４ＧＨｚ帯が規定されている。
【００１４】
ただし、同一エリア内で同時に複数の無線チャンネルを設定する場合、５．２ＧＨｚ帯では、隣接する無線チャンネルの周波数間隔を２０ＭＨｚ以上とすることが必要であり、２．４ＧＨｚ帯では、隣接する無線チャンネルの周波数間隔を２５ＭＨｚ以上とすることが必要である。
【００１５】
そのため、５．２ＧＨｚ帯では、図６にチャンネルＣ１，Ｃ２，Ｃ３またはＣ４として示すように、チャンネル周波数を５．１７ＧＨｚ，５．１９ＧＨｚ，５．２１ＧＨｚまたは５．２３ＧＨｚとし、２．４ＧＨｚ帯では、図７にチャンネルＣ１１，Ｃ１２またはＣ１３として示すように、チャンネル周波数を２．４１２ＧＨｚ，２．４３７ＧＨｚまたは２．４６２ＧＨｚとする。
【００１６】
そこで、図１２の場合、例えば、図示するように、無線通信システム５５では、無線チャンネルが５．２ＧＨｚ帯中の５．１９ＧＨｚに設定されて、無線通信装置５１と無線通信装置５２との間で無線通信を行うと同時に、無線通信システム５６では、無線チャンネルが５．２ＧＨｚ帯中の５．２１ＧＨｚに設定されて、無線通信装置５３と無線通信装置５４との間で無線通信を行うものとする。
【００１７】
無線通信装置５１，５２，５３および５４は、それぞれの送受信部（フロントエンド部）が、図８に示したような構成で、かつ、それぞれのチャンネル選択フィルタ部６５が、図１０および図１１に示したような非対称の周波数特性であるとする。
【００１８】
チャンネル周波数ｆｒと局発周波数ｆｏとの関係は、例えば、ｆｏ＞ｆｒ、すなわちｆｏ＝ｆｒ＋ｆｃに設定されるとして、無線通信装置５１，５２，５３および５４では、それぞれ、受信時、周波数ｆｒの信号が、送受信回路６７で受信され、第２周波数変換回路６６で周波数ｆｏの局発信号によってダウンコンバートされて、ｆｃ（＝ｆｏ−ｆｒ＝３７４ＭＨｚ）の中間周波数の信号に変換され、この信号が、チャンネル選択フィルタ部６５を通じ、第１周波数変換回路６４でベースバンドの信号に変換されて、変復調回路６３で復調される。
【００１９】
この場合、無線通信システム５５では、ｆｒ２＝５．１９ＧＨｚの周波数チャンネルが選択されて、無線通信装置５１から無線通信装置５２にデータが送信され、同時に、無線通信システム５６では、ｆｒ３＝５．２１ＧＨｚの周波数チャンネルが選択されて、無線通信装置５３から無線通信装置５４にデータが送信されたとする。
【００２０】
このとき、無線通信装置５２の送受信回路６７では、無線通信装置５１からのｆｒ２＝５．１９ＧＨｚの信号と、無線通信装置５３からのｆｒ３＝５．２１ＧＨｚの信号とが受信され、無線通信装置５２の第２周波数変換回路６６では、無線通信装置５１からのｆｒ２＝５．１９ＧＨｚの信号は、ｆｏ２＝ｆｒ２＋ｆｃ＝５．１９ＧＨｚ＋３７４ＭＨｚ＝５．５６４ＧＨｚの局発信号によって、同じシステム内の本来の信号として、図１１に通信チャンネル帯域Ｂｃ内として示すｆｃ＝３７４ＭＨｚの中間周波数の信号に変換されるが、無線通信装置５３からのｆｒ３＝５．２１ＧＨｚの信号は、同じｆｏ２＝５．５６４ＧＨｚの局発信号によって、他のシステムからの妨害波信号として、図１１に下側（低周波数側）の隣接チャンネル帯域Ｂａ内として示すｆａ＝３５４ＭＨｚの周波数の信号に変換される。
【００２１】
一方、無線通信装置５４の送受信回路６７では、無線通信装置５３からのｆｒ３＝５．２１ＧＨｚの信号と、無線通信装置５１からのｆｒ２＝５．１９ＧＨｚの信号とが受信され、無線通信装置５４の第２周波数変換回路６６では、無線通信装置５３からのｆｒ３＝５．２１ＧＨｚの信号は、ｆｏ３＝ｆｒ３＋ｆｃ＝５．２１ＧＨｚ＋３７４ＭＨｚ＝５．５８４ＧＨｚの局発信号によって、同じシステム内の本来の信号として、図１１に通信チャンネル帯域Ｂｃ内として示すｆｃ＝３７４ＭＨｚの中間周波数の信号に変換されるが、無線通信装置５１からのｆｒ２＝５．１９ＧＨｚの信号は、同じｆｏ３＝５．５８４ＧＨｚの局発信号によって、他のシステムからの妨害波信号として、図１１に上側（高周波数側）の隣接チャンネル帯域Ｂｂ内として示すｆｂ＝３９４ＭＨｚの周波数の信号に変換される。
【００２２】
そのため、無線通信装置５２では、ｆａ＝３５４ＭＨｚの周波数の妨害波信号が、図１１に妨害波スペクトラムＳａｘとして示すようにチャンネル選択フィルタ部６５を通過し、チャンネル選択フィルタ部６５の出力側（この場合は第１周波数変換回路６４側）に、図１３（Ａ）に５．２１ＧＨｚチャンネル妨害電力Ｐａｘとして示すような妨害電力を生じ、無線通信装置５４では、ｆｂ＝３９４ＭＨｚの周波数の妨害波信号が、図１１に妨害波スペクトラムＳｂｘとして示すようにチャンネル選択フィルタ部６５を通過し、チャンネル選択フィルタ部６５の出力側（この場合は第１周波数変換回路６４側）に、図１３（Ｂ）に５．１９ＧＨｚチャンネル妨害電力Ｐｂｘとして示すような妨害電力を生じる。
【００２３】
しかも、無線通信装置５２および５４のチャンネル選択フィルタ部６５の周波数特性が、図１０および図１１に示すような非対称なものであると、妨害波スペクトラムＳａｘは低レベルとなり、妨害電力Ｐａｘは小さくなるが、妨害波スペクトラムＳｂｘは高レベルとなり、妨害電力Ｐｂｘは大きくなる。
【００２４】
そして、無線通信装置で受信したデータの符号誤り率、および無線通信装置間のスループットは、上記の妨害電力の大小に左右され、妨害電力が大きいほど、符号誤り率が高くなり、スループットが低下する。
【００２５】
そのため、上記の例では、５．１９ＧＨｚチャンネル妨害電力Ｐｂｘとして、大きい妨害電力を生じる無線通信装置５４では、無線通信装置５３から受信したデータの符号誤り率が高くなり、無線通信装置５３，５４間のスループットが低下して、極端な場合には無線通信装置５３，５４間では通信不能となる。
【００２６】
そこで、この発明は、同一エリア内に当該の無線通信装置を含む当該の無線通信システム以外に無線通信システムが存在して、隣接する周波数チャンネルによりデータを送受信しているときにおける、妨害電力が低減し、符号誤り率が低下して、スループットを高めることができ、互いの無線通信システムが共存できるようにしたものである。
【課題を解決するための手段】
【００２７】
この発明の無線通信装置は、
順次接続された変復調回路、第１周波数変換回路、チャンネル選択フィルタ部、第２周波数変換回路および送受信回路を備え、
前記チャンネル選択フィルタ部は、所定の中間周波数を中心とする通信チャンネル帯域の下側および上側の隣接チャンネル帯域の特性が前記中間周波数を中心に対称的な特性とされていることを特徴とする。
【００２８】
上記の構成の、この発明の無線通信装置では、当該無線通信装置を含む当該無線通信システム内の他の無線通信装置からデータを受信したとき、同時に、隣接する無線チャンネルを使用して無線通信を行っている同様の構成の他の無線通信システムからの信号を受信し、通信チャンネル帯域の下側または上側の隣接チャンネル帯域に妨害電力を生じても、その妨害電力は、下側の隣接チャンネル帯域に生じる妨害電力も、上側の隣接チャンネル帯域に生じる妨害電力も、小さいものとなり、当該無線通信システム内の他の無線通信装置から受信したデータの符号誤り率が低下するとともに、隣接する無線チャンネルを使用して無線通信を行っている同様の構成の他の無線通信システムの符号誤り率も低下して、互いの無線通信システムが共存できるようになる。
【発明の効果】
【００２９】
以上のように、この発明によれば、同一エリア内に当該の無線通信装置を含む当該の無線通信システム以外に無線通信システムが存在して、隣接する周波数チャンネルによりデータを送受信しているときにおける、妨害電力が低減し、符号誤り率が低下して、スループットを高めることができ、互いの無線通信システムが共存できるようになる。
【発明を実施するための最良の形態】
【００３０】
図１は、この発明の無線通信装置の一例を示す。
【００３１】
この例の無線通信装置１１は、ＣＰＵ、ＲＯＭおよびＲＡＭを含む制御部２１に、ＭＡＣ（Ｍｅｄｉａ  Ａｃｃｅｓｓ  Ｃｏｎｔｒｏｌｌｅｒ）２２が接続され、ＭＡＣ２２に、変復調回路２３、第１周波数変換回路２４、チャンネル選択フィルタ部２５、第２周波数変換回路２６、送受信回路２７および送受信アンテナ２８が順次接続され、チャンネル選択フィルタ部２５が後述のような構成および特性とされたものである。
【００３２】
無線通信装置１１から他の無線通信装置にデータを送信する際には、送信するデータが、変復調回路２３で変調され、第１周波数変換回路２４で中間周波数の信号に変換されて、チャンネル選択フィルタ部２５を通じ、第２周波数変換回路２６で、定められた周波数帯、例えば５．２ＧＨｚ帯から選択された周波数チャンネル（無線チャンネル）の信号に変換されて、送受信回路２７から送受信アンテナ２８により他の無線通信装置に送信される。
【００３３】
他の無線通信装置から送信されたデータを無線通信装置１１で受信する際には、他の無線通信装置から、定められた周波数帯、例えば５．２ＧＨｚ帯から選択された周波数チャンネル（無線チャンネル）の信号として送信されたデータが、送受信アンテナ２８により送受信回路２７で受信され、第２周波数変換回路２６で中間周波数の信号に変換されて、チャンネル選択フィルタ部２５を通じ、第１周波数変換回路２４でベースバンドの信号に変換されて、変復調回路２３で復調される。
【００３４】
無線周波数帯として、ＩＥＥＥ８０２．１１ａ規格で規定されている５．２ＧＨｚ帯を用いる場合、周波数チャンネルとしては、図６に示したように、５．１７ＧＨｚ，５．１９ＧＨｚ，５．２１ＧＨｚおよび５．２３ＧＨｚのうちのいずれかが選択され、中間周波数は、ｆｃ＝３７４ＭＨｚとされる。
【００３５】
チャンネル選択フィルタ部２５は、送信時にも、受信時にも、このｆｃ＝３７４ＭＨｚを中心とする２０ＭＨｚ幅の周波数帯域の信号を通過させるもので、具体的には、図２に示すように、ＳＡＷフィルタ３１の片側（第１周波数変換回路２４に接続される端子３２ａ，３２ｂ側）に、コンデンサ３４ａ，３４ｂおよびインダクタ３５からなる整合回路３３が接続され、反対側（第２周波数変換回路２６に接続される端子３６ａ，３６ｂ側）に、コンデンサ３８ａ，３８ｂおよびインダクタ３９からなる整合回路３７が接続されたものとする。
【００３６】
しかも、コンデンサ３４ａ，３４ｂ，３８ａ，３８ｂのキャパシタンス値およびインダクタ３５，３９のインダクタンス値を調整することによって、チャンネル選択フィルタ部２５の周波数特性は、図３に特性曲線１で示すように、ｆｃ＝３７４ＭＨｚを中心とする通信チャンネル帯域Ｂｃでは平坦で、その下側（低周波数側）のｆａ＝３５４ＭＨｚを中心とする隣接チャンネル帯域Ｂａと、上側（高周波数側）のｆｂ＝３９４ＭＨｚを中心とする隣接チャンネル帯域Ｂｂとでは、ｆｃ＝３７４ＭＨｚに対して対称とする。
【００３７】
図４に、同一のエリア９内に、無線通信装置１１および１２からなる無線通信システム１５と、無線通信装置１３および１４からなる無線通信システム１６とが存在する場合を示す。無線通信装置１３が無線通信装置１１の近傍に存在し、無線通信装置１２，１４がそれぞれ無線通信装置１１，１３の近傍に存在して、無線通信装置１１と無線通信装置１２との間で無線通信を行うと同時に、無線通信装置１３と無線通信装置１４との間で無線通信を行うものとする。
【００３８】
無線通信装置１１，１２，１３および１４は、それぞれの送受信部（フロントエンド部）が、図１に示したような構成で、かつ、それぞれのチャンネル選択フィルタ部２５が、図２に示したような構成、および図３に示したような対称的な周波数特性である。
【００３９】
なお、無線通信システム１５を構成する無線通信装置１１および１２は、例えば、一方が、アクセスポイントとして機能するベース装置として構成され、他方が、このベース装置からテレビの映像やインターネット上の情報を受信してディスプレイ上に映像や情報を表示し、ベース装置を介して電子メールを送受信するなどの機能を実行する端末装置として構成される。無線通信システム１６を構成する無線通信装置１３および１４も、同様である。
【００４０】
チャンネル周波数ｆｒと局発周波数ｆｏとの関係は、例えば、ｆｏ＞ｆｒ、すなわちｆｏ＝ｆｒ＋ｆｃに設定されるとして、無線通信装置１１，１２，１３および１４では、それぞれ、受信時、周波数ｆｒの信号が、送受信回路２７で受信され、第２周波数変換回路２６で周波数ｆｏの局発信号によってダウンコンバートされて、ｆｃ（＝ｆｏ−ｆｒ＝３７４ＭＨｚ）の中間周波数の信号に変換され、この信号が、チャンネル選択フィルタ部２５を通じ、第１周波数変換回路２４でベースバンドの信号に変換されて、変復調回路２３で復調される。
【００４１】
この場合、無線通信システム１５では、ｆｒ２＝５．１９ＧＨｚの周波数チャンネルが選択されて、無線通信装置１１から無線通信装置１２にデータが送信され、同時に、無線通信システム１６では、ｆｒ３＝５．２１ＧＨｚの周波数チャンネルが選択されて、無線通信装置１３から無線通信装置１４にデータが送信されたとする。
【００４２】
このとき、無線通信装置１２の送受信回路２７では、無線通信装置１１からのｆｒ２＝５．１９ＧＨｚの信号と、無線通信装置１３からのｆｒ３＝５．２１ＧＨｚの信号とが受信され、無線通信装置１２の第２周波数変換回路２６では、無線通信装置１１からのｆｒ２＝５．１９ＧＨｚの信号は、ｆｏ２＝ｆｒ２＋ｆｃ＝５．１９ＧＨｚ＋３７４ＭＨｚ＝５．５６４ＧＨｚの局発信号によって、同じシステム内の本来の信号として、図３に通信チャンネル帯域Ｂｃ内として示すｆｃ＝３７４ＭＨｚの中間周波数の信号に変換されるが、無線通信装置１３からのｆｒ３＝５．２１ＧＨｚの信号は、同じｆｏ２＝５．５６４ＧＨｚの局発信号によって、他のシステムからの妨害波信号として、図３に下側（低周波数側）の隣接チャンネル帯域Ｂａ内として示すｆａ＝３５４ＭＨｚの周波数の信号に変換される。
【００４３】
一方、無線通信装置１４の送受信回路２７では、無線通信装置１３からのｆｒ３＝５．２１ＧＨｚの信号と、無線通信装置１１からのｆｒ２＝５．１９ＧＨｚの信号とが受信され、無線通信装置１４の第２周波数変換回路２６では、無線通信装置１３からのｆｒ３＝５．２１ＧＨｚの信号は、ｆｏ３＝ｆｒ３＋ｆｃ＝５．２１ＧＨｚ＋３７４ＭＨｚ＝５．５８４ＧＨｚの局発信号によって、同じシステム内の本来の信号として、図３に通信チャンネル帯域Ｂｃ内として示すｆｃ＝３７４ＭＨｚの中間周波数の信号に変換されるが、無線通信装置１１からのｆｒ２＝５．１９ＧＨｚの信号は、同じｆｏ３＝５．５８４ＧＨｚの局発信号によって、他のシステムからの妨害波信号として、図３に上側（高周波数側）の隣接チャンネル帯域Ｂｂ内として示すｆｂ＝３９４ＭＨｚの周波数の信号に変換される。
【００４４】
そのため、無線通信装置１２では、ｆａ＝３５４ＭＨｚの周波数の妨害波信号が、図３に妨害波スペクトラムＳａとして示すようにチャンネル選択フィルタ部２５を通過し、チャンネル選択フィルタ部２５の出力側（この場合は、第１周波数変換回路２４側、すなわち図２の端子３２ａ，３２ｂ間）に、図５（Ａ）に５．２１ＧＨｚチャンネル妨害電力Ｐａとして示すような妨害電力を生じ、無線通信装置１４では、ｆｂ＝３９４ＭＨｚの周波数の妨害波信号が、図３に妨害波スペクトラムＳｂとして示すようにチャンネル選択フィルタ部２５を通過し、チャンネル選択フィルタ部２５の出力側（この場合は、第１周波数変換回路２４側、すなわち図２の端子３２ａ，３２ｂ間）に、図５（Ｂ）に５．１９ＧＨｚチャンネル妨害電力Ｐｂとして示すような妨害電力を生じる。
【００４５】
しかし、無線通信装置１２および１４のチャンネル選択フィルタ部２５の周波数特性は、図３に特性曲線１で示すようにｆｃ＝３７４ＭＨｚを中心に対称的な特性とされ、下側の隣接チャンネル帯域Ｂａでも上側の隣接チャンネル帯域Ｂｂでも十分な減衰量となる特性であるので、妨害波スペクトラムＳａおよびＳｂは共に低レベルとなり、妨害電力ＰａおよびＰｂは共に小さくなる。
【００４６】
したがって、上記の例では、無線通信装置１２でも、無線通信装置１４でも、それぞれ同じシステム内の無線通信装置１１または無線通信装置１３から受信したデータの符号誤り率が低くなり、無線通信装置１１，１２間および無線通信装置１３，１４間のスループットの低下が回避される。
【００４７】
上記の例は、チャンネル周波数ｆｒと局発周波数ｆｏとの関係が、ｆｏ＞ｆｒ、すなわちｆｏ＝ｆｒ＋ｆｃに設定される場合であるが、チャンネル周波数ｆｒと局発周波数ｆｏとの関係が、逆にｆｏ＜ｆｒ、すなわちｆｏ＝ｆｒ−ｆｃに設定される場合にも、この発明を適用することができ、上述したように妨害電力を低減し、符号誤り率を低下させて、スループットを高めることができる。
【００４８】
また、この発明は、無線周波数帯として隣接チャンネル間の周波数間隔が２０ＭＨｚというように狭い５．２ＧＨｚ帯を用いる場合に、特に好適であるが、無線周波数帯として２．４ＧＨｚ帯を用いる場合にも、適用することができる。
【図面の簡単な説明】
【００４９】
【図１】この発明の無線通信装置の一例を示す図である。
【図２】図１の無線通信装置のチャンネル選択フィルタ部の構成の一例を示す図である。
【図３】図２のチャンネル選択フィルタ部の周波数特性を示す図である。
【図４】図２のチャンネル選択フィルタ部を備える図１の無線通信装置を用いた無線通信システムが同一エリア内に複数存在する状態を示す図である。
【図５】図４の状態で各システムで同時にデータを送受信するときの説明に供する図である。
【図６】ＩＥＥＥ８０２．１１ａ規格で規定された５．２ＧＨｚ帯を示す図である。
【図７】ＩＥＥＥ８０２．１１ｂ規格で規定された２．４ＧＨｚ帯を示す図である。
【図８】従来の無線通信装置を示す図である。
【図９】図８の無線通信装置のチャンネル選択フィルタ部の構成を示す図である。
【図１０】図９のチャンネル選択フィルタ部の周波数特性を示す図である。
【図１１】図９のチャンネル選択フィルタ部の周波数特性を示す図である。
【図１２】図９のチャンネル選択フィルタ部を備える図８の無線通信装置を用いた無線通信システムが同一エリア内に複数存在する状態を示す図である。
【図１３】図１２の状態で各システムで同時にデータを送受信するときの説明に供する図である。
【符号の説明】
【００５０】
主要部については図中に全て記述したので、ここでは省略する。
【図１】
2007013265.tif 000003
【図２】
2007013265.tif 000004
【図３】
2007013265.tif 000005
【図４】
2007013265.tif 000006
【図５】
2007013265.tif 000007
【図６】
2007013265.tif 000008
【図７】
2007013265.tif 000009
【図８】
2007013265.tif 000010
【図９】
2007013265.tif 000011
【図１０】
2007013265.tif 000012
【図１１】
2007013265.tif 000013
【図１２】
2007013265.tif 000014
【図１３】
2007013265.tif 000015